(57)【要約】【課題】  本発明は、ゴルフクラブのライ角、ロフト角あるいはその他のクラブ仕様の測定において、誰もが一意に、ゴルフクラブヘッドを正しい位置、姿勢にセットできるようにすることを課題とする【解決手段】  平行なレール状凸部をゴルフクラブヘッドのソール部に接触させゴルフクラブ又はゴルフクラブヘッドのライ角又はロフト角の少なくとも一方を測定することを特徴とするゴルフクラブのライ角ロフト角測定器である。レール状凸部側を回転させてゴルフクラブヘッドのソール部に接触させる方法も好適である。ゴルフクラブヘッドのフェース向きを定めるフェース向き規定部が、レール状凸部上に移動可能な状態でレール状凸部上に備えられていると、更に好適である。これにより、ゴルフクラブのライ角等のクラブ仕様の測定において、測定器へのゴルフクラブヘッドのセットが容易になる。【選択図】  図４
2010104839.tif 000002
【特許請求の範囲】
【請求項１】
平行なレール状凸部をゴルフクラブヘッドのソール部に接触させゴルフクラブ又はゴルフクラブヘッドのライ角又はロフト角の少なくとも一方を測定することを特徴とするゴルフクラブのライ角ロフト角測定器。
【請求項２】
レール状凸部を一体的に回転させてゴルフクラブヘッドのソール部に接触させることを特徴とする請求項１の測定器。
【請求項３】
ゴルフクラブヘッドのフェース向きを定めるフェース向き規定部が、レール状凸部上に移動可能な状態でレール状凸部上に備えられていることを特徴とする請求項１乃至２の測定器。
【発明の詳細な説明】
【技術分野】
【０００１】
本発明は、ゴルフクラブやゴルフクラブヘッドのライ角、ロフト角を測定するための器具、装置に関する。
【背景技術】
【０００２】
従来のゴルフクラブのライ角ロフト角測定器は、斜めに設置されたゴルフクラブの角度を調整し、ゴルフクラブヘッドが正しい姿勢になったときの角度を読み取るものである（例えば、特許文献１参照）。正しい姿勢であるか否かの判断は測定者が目視で行う。
【０００３】
図１は、上記従来のライ角ロフト角測定器である。ゴルフクラブヘッド１１とゴルフクラブシャフト１２、グリップ１３を主たる構成要素とするゴルフクラブ１は、シャフト１２にて、ライ角ロフト角測定器２のゴルフクラブ支持部２１に取り付けられる。ゴルフクラブ支持部２１は、シャフト１２の軸線と平行になっており、かつ回転軸２１１を中心として回転可能になっている。このゴルフクラブ支持部２１を回転させ、ゴルフクラブ１２が正しい姿勢になったとき、指示部２２とめもり２３により示されるライ角を読み取る。ロフト角を測定する場合は、この状態で、別途用意したプロトラクターにより測定を行う。
【０００４】
図２は、従来のライ角ロフト角測定において、ゴルフクラブ１２が正しい姿勢になった状態を示すものである。フェース部１１１の中央を示す仮想中心線１１１Ｃの位置にて、ゴルフクラブヘッドのソール部１１２がライ角ロフト角測定器の接地面２４に接触しており、ソール部１１２と接地面２４の間の隙間は、仮想中心線１１１Ｃに対して略対称になっている。
【０００５】
図２は、比較的ソール部の曲率が大きいアイアンヘッドを図示したので、接地面２４との接触位置が仮想中心線１１１Ｃであったり、ソール部１１２と接地面２４の間の隙間が仮想中心線１１１Ｃに対して略対称であることを目視でも確認し易いが、ソール部の曲率が小さいゴルフクラブヘッドの場合は、これが難しいことも珍しくない。その場合は、図３のようにソール部のヒール側１１２ｈ、同トウ側１１２ｔの隙間に薄い紙３を出来るだけ差込み、それぞれの仮想中心線１１１Ｃまでの距離Ｌｈ、Ｌｔが等しいことをもって正しい姿勢であることを確認する方法も知られている。
【０００６】
その他の従来の測定器として、ゴルフクラブを水平あるいは垂直に設置し、ヘッドのソール部に接地面を接触させ、正しく接触した状態の角度を読み取るものも知られている（例えば特許文献２、３参照）。可動部がゴルフクラブ支持部２１ではなく、接地面である点が異なるが、本質的には図１に示す測定器と何ら変わらず、接地面との接触、即ち仮想接地が正しいか否かの判断については、図１の従来例と同様、測定者が行う必要がある。
【０００７】
以上の通り、従来のライ角やロフト角の測定においは、ゴルフクラブヘッドが正しい姿勢になったことの判断は測定者の目視で行う必要がある一方、ゴルフクラブヘッドのソール部は曲面であるため、判断は容易ではなかった。そのために測定には熟練を要したり、また測定者によって測定値が異なるなど、精度上の問題を生じることもあった。
【先行技術文献】
【特許文献】
【０００８】
【特許文献１】特開２００１−１２９１２８公報
【特許文献２】特開２０００−１８９５４６公報
【特許文献３】実公平７−５２５６４号公報
【発明の概要】
【発明が解決しようとする課題】
【０００９】
本発明は、ゴルフクラブのライ角、ロフト角あるいはその他のクラブ仕様の測定において、誰もが一意に、ゴルフクラブヘッドを正しい位置、姿勢にセットできるようにすることを課題とする。
【課題を解決するための手段】
【００１０】
平行なレール状凸部をゴルフクラブヘッドのソール部に接触させゴルフクラブ又はゴルフクラブヘッドのライ角又はロフト角の少なくとも一方を測定することを特徴とするゴルフクラブのライ角ロフト角測定器である。レール状凸部側を回転させてゴルフクラブヘッドのソール部に接触させる方法も好適である。ゴルフクラブヘッドのフェース向きを定めるフェース向き規定部が、レール状凸部上に移動可能な状態でレール状凸部上に備えられていると、更に好適である。
【発明の効果】
【００１１】
本発明によれば、ゴルフクラブのライ角、ロフト角あるいはその他のクラブ仕様の測定において、ゴルフクラブヘッドを容易に正しい位置、姿勢にセットすることができ、測定の容易化や精度の向上を達成することができる。
【図面の簡単な説明】
【００１２】
【図１】従来のライ角ロフト角測定器。
【図２】従来のライ角ロフト角測定において、ゴルフクラブが正しい姿勢になったときのゴルフクラブヘッドの状態を示す。
【図３】従来のライ角ロフト角測定において、ゴルフクラブの姿勢が正しいか否かを確かめる方法の例。
【図４】実施例１に係るライ角ロフト角測定器。
【図５】実施例１に係る測定器において、ゴルフクラブが正しい姿勢になったときのゴルフクラブヘッドの状態を示す。
【図６】実施例２に係るライ角ロフト角測定器。
【図７】実施例３に係るライ角ロフト角測定器。
【発明を実施するための形態】
【００１３】
以下、本発明の実施の形態を添付図面を参照して説明する。
【実施例１】
【００１４】
図４は本発明の実施例１に係る測定器である。レール状凸部２５、これの中心を示す中心マーク２６を除けば、図１に示した従来の測定器と同じであって、測定方法もほぼ同じである。
【００１５】
レール状凸２５部は、金属、硬質樹脂、木材などの剛な材料からなり、左右２本ある。また、略三角形もしくは半円形の断面を有し、紙面前後方向に平行に伸びており、その高さは左右同じである。凸部の左右の間隔は１５〜４０ｍｍ位が好適である。
【００１６】
測定にあたっては、ゴルフクラブ支持部２１にゴルクラブを取り付けた後、ゴルフクラブ支持部２１を回転させ、ゴルフクラブを正しい姿勢にする。正しい姿勢とは、左右のレール状凸部２５の中心、即ち中心マーク２６上にフェース部の仮想中心線１１１Ｃがくるようにした状態で、左右のレール状凸部２５双方にゴルフクラブヘッドのソール部１１２が接触している状態を言う。この状態は、ソール部１１２の仮想中心線１１１Ｃ位置を基準にした場合において、凸部２５が接触する位置のソール部１１２の左右の高さが等しいことを意味する。即ち、ソール部１１２の中心が接地したとすれば、その左右の隙間がほぼ同じになる状態である。この状態の拡大を図５に示す。
【００１７】
従来であれば、ソール部１１２の中心を接地させたときの、その左右の隙間がほぼ同じであることを、測定者が目視して確認していた。本発明によれば、左右のレール状凸部に接触させるだけに、その状態を確実に再現することが可能になるのである。
【００１８】
なお、図４は簡略のために省略したが、現実の測定器では、レール状凸部２５が紙面左右に動く機構があると望ましい。ゴルフクラブによって仮想中心線１１１Ｃの位置が左右にずれるため、これが凸部２５の中央にくるよう調整する機構が必要なためである。レール状凸部２５が動くのではなく、ゴルフクラブ支持部２１とめもり２３等からなる部分が左右に動いて位置調整する機構でも構わない。
【００１９】
更に、ゴルフクラブ１は、そのシャフト１２の軸線方向へ移動可能な機構を有することが望ましい。ゴルフクラブヘッド１１をレール状凸部２５に接触させるにあたって、ゴルフクラブ１の高さ方向の調整が必要だからである。
【実施例２】
【００２０】
図６に実施例２を示す。なお、実施例２以降において、図示、記述されていない部分は、図４、実施例１と同じである。
【００２１】
ゴルフクラブヘッド１１のソール部が左右二つのレール状凸部２５に接するよう、ゴルフクラブの取り付け角度が調整される。左右のレール状凸部２５は、一体化され、ゴルフクラブヘッドのトウヒール方向（紙面左右）に可動となるようレール状凸部移動用レール２７の上にのっている。レール状凸部２５には、中心に中心マーク（この場合、点線）２６の印された中心・フェース向き合わせ冶具２８も移動可能な状態でのっており、この中心マーク２６とゴルフクラブヘッド１１のフェース部の仮想中心線１１１Ｃが一致するよう、レール状凸部２５を移動させる。
【００２２】
このとき、中心・フェース向き合わせ冶具２８の一辺にフェース部１１１を押し付けることにより、フェース向きも正しい状態にすることができる。このときに、中心・フェース向き合わせ冶具２８あるいはレール状凸部２５を基準として、フェース部１１１の上向き角度を測ればロフト角を得ることができる。
【実施例３】
【００２３】
図７に実施例３を示す。  左右のレール状凸部２５と指示部２２は、紙面前後方向を軸として一体的に回転可能になっている。実施例１がゴルフクラブを正しい姿勢にするためにゴルフクラブ１を動かしていたのと異なり、実施例３はレール状凸部２５を回転させて、これらとソール部１１２が接するようにし、その状態での指示部２２の示すめもり２３の角度を読み取るものである。
【００２４】
これの場合も実施例２と同様、中心・フェース向き合わせ冶具２８をレール状凸部２５の上にのせ、フェース向きを規定することができ、その状態でロフト角を測定することが可能である。また、高さ方向の一調整のため、レール状凸部２５が上下方向に移動可能にするのも好適である。若しくは、ライ角ロフト角測定器のゴルフクラブ支持部２１に取り付けられるゴルフクラブ１が、シャフト１２の軸線方向に移動可能な機構を備えるのも好適である。
【産業上の利用可能性】
【００２５】
ゴルフクラブの製造販売において、ゴルフクラブやゴルフクラブヘッドの仕様の測定に用いることができる。
【符号の説明】
【００２６】
１      ：  ゴルフクラブ
１１    ：  ゴルフクラブヘッド
１１１  ：  ゴルフクラブヘッドのフェース部
１１１Ｃ：  フェース部の仮想中心線
１１２  ：  ゴルフクラブヘッドのソール部
１１２ｈ：  ソール部のヒール側
１１２ｔ：  ソール部のトウ側
１２    ：  ゴルフクラブシャフト
１３    ：  グリップ
２      ：  ライ角ロフト角測定器
２１    ：  ライ角ロフト角測定器のゴルフクラブ支持部
２１１  ：  ゴルフクラブ支持部の回転軸
２２    ：  指示部
２３    ：  めもり
２４    ：  ライ角ロフト角測定器の接地面
２５    ：  レール状凸部
２６    ：  中心マーク
２７    ：  レール状凸部移動用レール
２８    ：  中心・フェース向き合わせ冶具
【図１】
2010104839.tif 000003
【図２】
2010104839.tif 000004
【図３】
2010104839.tif 000005
【図４】
2010104839.tif 000006
【図５】
2010104839.tif 000007
【図６】
2010104839.tif 000008
【図７】
2010104839.tif 000009